(57)【要約】【課題】外部機器に記憶されている複数種類の規格に準拠したファイルを取得可能であり、取得した複数種類の規格に準拠したファイルの処理を容易に行える記録装置を提供することを目的とする。【解決手段】本発明にかかる記録装置は、コーデックの種類が特定されている規格に準拠した第１のファイルと、コーデックの種類が特定されていない規格に準拠した第２のファイルと、を取得する取得部と、取得部により取得された第１のファイルを異なるコーデックでエンコードしなおすことなく記憶媒体に記録する一方、取得部により取得された第２のファイルを異なるコーデックでエンコードしなおして記憶媒体に記録する記録部と、を備える。【選択図】図１
2013037742.tif 000002
【特許請求の範囲】
【請求項１】
コーデックの種類が特定されている規格に準拠した第１のファイルと、コーデックの種類が特定されていない規格に準拠した第２のファイルと、を取得する取得部と、
前記取得部により取得された第１のファイルを異なるコーデックでエンコードしなおすことなく記憶媒体に記録する一方、前記取得部により取得された第２のファイルを異なるコーデックでエンコードしなおして前記記憶媒体に記録する記録部と、を備える、
再生記録装置。
【請求項２】
前記記録部は、前記第２のファイルを異なるコーデックでエンコードしなおす前に、前記第２のファイルを前記記憶媒体に記録し、その後、前記記憶媒体に記録された前記第２のファイルを異なるコーデックでエンコードしなおし、エンコードしなおした後のファイルを前記記憶媒体に記録する、
請求項１に記載の再生記録装置。
【請求項３】
前記取得部は、外部の記憶媒体から前記第１のファイルと、前記第２のファイルと、を取得し、
前記記録部は、前記外部の記憶媒体に記憶されており、異なるコーデックでエンコードしなおすことが可能な全ての前記第２のファイル、若しくは、全ての前記第１のファイルを前記記憶媒体に記録し、その後、他方のファイルを前記記憶媒体に記録する、
請求項１又は２に記載の再生記録装置。
【請求項４】
前記記憶媒体に記憶されているファイルの属性を示すデータを出力する出力部をさらに備え、
前記出力部は、前記第１のファイルの属性を示すデータと、異なるコーデックでエンコードしなおした後の前記第２のファイルの属性を示すデータとを区別して出力する、
請求項１〜３の何れか１項に記載の再生記録装置。
【発明の詳細な説明】
【技術分野】
【０００１】
本発明は再生記録装置に関し、外部機器に記憶されているデータを取得し、取得したデータを記録可能な再生記録装置に関する。
【背景技術】
【０００２】
特許文献１は、情報記録装置を開示する。この情報記録装置は、映像／音声等の情報を磁気ディスクに記録する際に、コピー制御に関する情報をコピー制御情報ファイルに保存する。この情報記録装置は、記憶している映像／音声等の情報をダビングする際に、コピー制御情報ファイルを参照する。コピー制御情報ファイルが「Ｃｏｐｙ  Ｆｒｅｅ」を示す場合には、この情報記録装置は、再エンコード処理を行わず、記録データを磁気ディスクからＤＶＤ−ＲＡＭディスクにコピーする。
【０００３】
これにより、コピー制御情報ファイルが「Ｃｏｐｙ  Ｆｒｅｅ」を示す場合に、ダビングに要する時間を短縮できる。
【先行技術文献】
【特許文献】
【０００４】
【特許文献１】特開２００２−１５０６７２号公報
【発明の概要】
【発明が解決しようとする課題】
【０００５】
本発明は、外部機器に記憶されている複数種類の規格に準拠したファイルを取得可能であり、取得した複数種類の規格に準拠したファイルの処理を容易に行える再生記録装置を提供することを目的とする。
【課題を解決するための手段】
【０００６】
上記課題を解決するために、本発明にかかる再生記録装置は、コーデックの種類が特定されている規格に準拠した第１のファイルと、コーデックの種類が特定されていない規格に準拠した第２のファイルと、を取得する取得部と、取得部により取得された第１のファイルを異なるコーデックでエンコードしなおすことなく記憶媒体に記録する一方、取得部により取得された第２のファイルを異なるコーデックでエンコードしなおして記憶媒体に記録する記録部と、を備える。
【発明の効果】
【０００７】
本発明によれば、外部機器に記憶されている複数種類の規格に準拠したファイルを取得可能であり、取得した複数種類の規格に準拠したファイルの処理を容易に行える再生記録装置を提供できる。
【図面の簡単な説明】
【０００８】
【図１】実施の形態１にかかるレコーダの構成を示すブロック図
【図２】実施の形態１にかかるレコーダのファイル読み取り動作を示すフローチャート
【図３】実施の形態１にかかるレコーダの出力画面を示す模式図
【図４】実施の形態１にかかるレコーダの出力画面を示す模式図
【発明を実施するための形態】
【０００９】
１．実施の形態１
１−１．レコーダの構成
本実施の形態１に係るシステム構成の一例を、図１を用いて説明する。
【００１０】
図１の再生記録装置１００は、メモリカードスロット１０１と、ＵＳＢ端子１０２と、ＬＡＮ端子１０３と、ＨＤＭＩ端子１０４と、ハードディスクドライブ１０６と、チューナー端子１０７と、各部を制御するシステムＬＳＩ１０５を有する。
【００１１】
メモリカードスロット１０１およびＵＳＢ端子１０２は、着脱可能な記憶媒体との接続を行なうためのインターフェースであり、ＬＡＮ端子１０３は外部装置とネットワークを介して接続を行なうためのインターフェースである。ＨＤＭＩ端子１０４は外部の表示装置とケーブルを用いて接続可能であり、映像信号と音声信号とデータ信号の転送を行なうためのインターフェースである。本実施の形態１では再生記録装置１００と表示装置は、ＨＤＭＩケーブルで接続されている。
【００１２】
システムＬＳＩ１０５は、各部を制御する機能の他に、接続インターフェースと内部メモリ間でデータ転送を行なう機能と、ＭＰ４形式やＡＶＣＨＤ形式のような動画データを展開して出力可能な映像信号と音声信号に復号するデコード機能と、映像信号と音声信号を多重化してＭＰＥＧ２−ＴＳ形式のような動画データに圧縮するエンコード機能等を有する。
【００１３】
１−２．ダビング動作
本実施の形態１に係る再生記録装置１００のダビング動作を、図２を用いて説明する。
【００１４】
再生記録装置１００は、ＵＳＢ端子１０２に接続された記憶媒体の各種ファイルを読み出すことができる。以下では、ＵＳＢ端子１０２に接続された記憶媒体に、ＭＰ４形式およびＡＶＣＨＤ形式のファイルが混在して記録されているものとして、説明を行なう。
【００１５】
再生記録装置１００は、ＵＳＢ端子１０２に記憶媒体の接続を検出すると、ユーザーにダビング動作を開始するか否かの選択画面を表示する。ユーザーが開始を選択すると、再生記録装置１００はダビング動作を開始する（Ｓ１００）。
【００１６】
再生記録装置１００は、ＵＳＢ端子１０２に接続された記憶媒体から各種ファイルを探索し、ＭＰ４ファイルが記録されているかを確認する（Ｓ１１０）。
【００１７】
再生記録装置１００は、ＭＰ４ファイルが記録されていた場合、ＭＰ４ファイルを全て探索した後、過去のダビング履歴情報と照合して、過去に取り込んだことのないＭＰ４ファイルを抽出する（Ｓ１２０）。
【００１８】
再生記録装置１００は、ダビング処理に要する時間や進捗等の情報をユーザーに通知するためのダビング画面を表示する（Ｓ１３０）。詳細は図３を用いて後述する。
【００１９】
再生記録装置１００は、Ｓ１２０で抽出した最初のＭＰ４ファイルをダビング対象とし、コーデック等の解析を行なった結果から、対象ファイルがデコード可能か否かを判別する（Ｓ１４０）。
【００２０】
再生記録装置１００は、ダビング対象のＭＰ４ファイルがデコード可能と判別した場合、ハードディスクドライブ１０６にＭＰ４ファイルをコピーする（Ｓ１５０）。これは、ＵＳＢ端子１０２に接続された記憶媒体からの転送速度が低い場合、後述のＳ１６０でＭＰ４ファイルのデコード処理に必要な転送レートが確保できないため、いったんハードディスクドライブ１０６へのコピーを行なう。この処理に際し、図３のダビング画面の進捗状況を更新する。
【００２１】
そして、再生記録装置１００は、ハードディスクドライブ１０６にコピーしたＭＰ４ファイルをデコードしながらＭＰＥＧ２−ＴＳ形式の動画データにエンコードし、エンコード後の動画データをハードディスクドライブ１０６へ記録することで、ＭＰＥＧ２−ＴＳ形式への変換処理を行なう（Ｓ１６０）。このように、ダビング処理時にＭＰ４ファイルのコーデックの種類を変更する理由について説明する。ＭＰ４規格は、コーデックの種類を１つに規定していない。従って、ＭＰ４ファイルであるからといって、必ずしも特定のコーデックが施されているとは限らない。様々な種類のコーデックが施されているファイルの編集処理を行う必要があるとすると、再生記録装置にとって、処理が煩雑になる。そこで、再生記録装置１００は、ＭＰ４ファイルをダビングする際に、常に、コーデック形式をＭＰＥＧ２−ＴＳに変換することとした。この処理に際し、図３のダビング画面の進捗状況を更新する。
【００２２】
そして、再生記録装置１００は、Ｓ１５０でハードディスクドライブ１０６にコピーしたＭＰ４ファイルを削除する（Ｓ１７０）。この処理に際し、図３のダビング画面の進捗状況を更新する。
【００２３】
再生記録装置１００は、Ｓ１７０の後、またはＳ１４０でダビング対象のＭＰ４ファイルがデコード不可と判別した場合、次のＭＰ４ファイルがあるかを確認する（Ｓ１８０）。
【００２４】
そして、再生記録装置１００は、次のＭＰ４ファイルがあった場合、それをダビング対象として指定し（Ｓ１９０）、Ｓ１４０の処理に戻る。
【００２５】
即ち、再生記録装置１００は、Ｓ１４０、Ｓ１５０、Ｓ１６０、Ｓ１７０、Ｓ１８０およびＳ１９０の処理を繰り返すことで、ダビング対象となるＭＰ４ファイルからデコード可能なものを全てＭＰＥＧ２−ＴＳ形式の動画データに変換しハードディスクドライブ１０６に記録することで、ダビング処理を行なう。
【００２６】
一方で、再生記録装置１００は、Ｓ１８０で次のＭＰ４ファイルがない場合、またはＳ１１０でＵＳＢ端子に接続された記憶媒体にＭＰ４ファイルがなかった場合、ＭＰ４ファイルのダビング処理を完了して、ＵＳＢ端子に接続された記憶媒体にＡＶＣＨＤファイルが記録されているかを確認する（Ｓ２００）。
【００２７】
再生記録装置１００は、ＡＶＣＨＤファイルが記録されていた場合、過去のダビング履歴情報と照合して、過去に取り込んだことのないＡＶＣＨＤファイルを抽出する（Ｓ２２０）。
【００２８】
再生記録装置１００は、ダビング処理に有する時間や進捗等をユーザーに通知するためのダビング画面を表示する（Ｓ２３０）。詳細は図３を用いて説明する。
【００２９】
そして、再生記録装置１００は、ダビング対象であるＡＶＣＨＤファイル全てを、動画形式の変換処理を行なわずハードディスクドライブ１０６に順次コピーすることでダビング処理を行なう（Ｓ２４０）。この処理に際し、図３のダビング画面の進捗状況を更新する。
【００３０】
再生記録装置１００は、Ｓ２４０の処理が完了した場合、またはＳ２００でＵＳＢ端子に接続された記憶媒体にＡＶＣＨＤファイルがなかった場合、ダビング動作を終了する（Ｓ２１０）。
【００３１】
本実施の形態１に係る再生記録装置１００において、ダビング動作中に表示するダビング画面を、図３を用いて説明する。
【００３２】
図３のダビング画面は、ダビング動作の状況をユーザーに通知するために、ダビング対象の動画形式、ダビング対象の動画の撮影日、ダビング完了までの残り時間および百分率での進捗状況等の情報を表示する。再生記録装置１００のダビング動作は、前述の通り、最初にＭＰ４形式のダビング処理を行い、次にＡＶＣＨＤ形式のダビング処理を行なうため、それぞれの動画形式のダビング処理毎にダビング画面を分けて表示する。このように、ＭＰ４形式のダビング処理と、ＡＶＣＨＤ形式のダビング処理とでダビング画面を分けている理由について次に説明する。上述した通り、再生記録装置１００は、ＭＰ４形式のダビング処理を行う場合には、コーデックの形式を変換する。従って、ＭＰ４形式のダビング処理には、ＭＰ４ファイルの録画時間と同一の時間を要する。一方、再生記録装置１００は、ＡＶＣＨＤ形式のダビング処理を行う場合には、コーデック形式の変換を行わない。従って、ＡＶＣＨＤ形式のダビング処理は、同一の録画時間のＭＰ４ファイルのダビング処理と比較して、短時間で完了する。その結果、仮に、ＡＶＣＨＤ形式のダビング処理とＭＰ４形式のダビング処理とを同一のダビング画面で行うと、同じ録画時間のファイルであるにも関わらず、ＭＰ４ファイルとＡＶＣＨＤファイルとでダビング時間が異なることが明確になってしまう。このことは、ユーザーに違和感を与える原因にもなる。そこで、再生記録装置１００は、ＭＰ４形式のダビング処理と、ＡＶＣＨＤ形式のダビング処理とでダビング画面を分けている。
【００３３】
本実施の形態１に係る再生記録装置１００において、ハードディスクドライブ１０６上の動画ファイルの一覧画面を、図４を用いて説明する。
【００３４】
図４の動画一覧画面は、ハードディスクドライブ１０６に記録された各動画データに対する、代表画像、撮影日情報、動画タイプ情報等の属性情報を一覧として表示する。
【００３５】
動画タイプ情報ついて、ＡＶＣＨＤファイルからダビングした動画データに対しては「ＡＶＣＨＤ」、一方でＭＰ４ファイルからダビングした動画データに対しては「ＡＶＣ  ＶＩＤＥＯ」として表示する。このように、動画タイプを区別して表示することで、再生記録装置１００のダビング処理時に、動画形式の変換処理が行なわれたかどうかをユーザーに通知することが可能である。
【００３６】
２．他の実施の形態
本発明は、上記実施の形態に限らず、種々の形態で適用可能である。
【００３７】
本実施の形態１では、再生記録装置１００は、着脱可能な記憶媒体をＵＳＢ端子１０２に接続して各種ファイルを読み出すようにした。しかしこれに限られず、ＵＳＢ端子と外部装置を接続して、外部装置内の記憶媒体から各種ファイルを読み出してもよい。また、再生記録装置１００は、メモリカードスロット１０１や光ディスクドライブに装填可能な記憶媒体から各種ファイルを読み出してもよい。また、ＬＡＮ端子１０３や無線ＬＡＮ回路のようなネットワーク接続インターフェースを用いて、外部機器に備える記憶媒体から各種ファイルを読み出してもよい。
【００３８】
本実施の形態１では、再生記録装置１００は、装置内部にハードディスクドライブ１０６を有しており、ダビングした動画データをそれに記録するようにした。しかしこれに限られず、ＵＳＢ端子１０３等に接続した着脱可能のハードディスクドライブ等の記憶媒体に記録してもよい。また、メモリカードスロット１０１や光ディスクドライブに装填可能な記憶媒体に記録してもよい。また、ＬＡＮ端子１０３や無線ＬＡＮ回路のようなネットワーク接続インターフェースを用いて、外部機器に備える記憶媒体に記録してもよい。
【００３９】
本実施の形態１では、再生記録装置１００はＨＤＭＩ端子１０４を用いて表示装置と有線で接続されるように構成したが、他の有線での接続形態および無線で接続しても構わない。
【００４０】
本実施の形態１では、放送データを視聴および記録するためにチューナ１０７を有しているが、無くても構わない。
【００４１】
本実施の形態１では、システムＬＳＩ内部に動画データのデコード機能およびエンコード機能等を有していたが、ハードウェア回路で実装されていてもソフトウェアで実現されていても構わない。
【００４２】
本実施の形態１では、接続インターフェースに記憶媒体を検出した場合、再生記録装置１００がユーザーにダビング動作を開始するか否かを選択する画面を表示したが、再生記録装置１００が記憶媒体上の動画データの一覧画面を表示し、その一覧画面でユーザーが任意に選択した動画データに対しダビング動作を開始してもよい。
【産業上の利用可能性】
【００４３】
本発明は、レコーダ、データを記録する機能を有するテレビ等、データを記録する機能を有する記録装置に適用できる。
【符号の説明】
【００４４】
１００    再生記録装置
１０１    メモリカードスロット
１０２    ＵＳＢ端子
１０３    ＬＡＮ端子
１０４    ＨＤＭＩ端子
１０５    システムＬＳＩ
１０６    ハードディスクドライブ
１０７    チューナ
【図１】
2013037742.tif 000003
【図２】
2013037742.tif 000004
【図３】
2013037742.tif 000005
【図４】
2013037742.tif 000006